(57)【要約】本発明のファンデーションは、より内側の位置に胸部を配置および支持することによって谷間を増加させる。それによって、女性は所望に応じて、胸部の内方移動量を選択的に調節および制御できる。一側面によると、ファンデーションは、第１の弾性を有する材料を含む左右胸部支持領域を含む。左バンドは、使用時、左胸部支持領域の少なくとも一部に沿って延在する。左バンドは、左胸部外側縁または近傍で配置可能な第１の端部と、左胸部内側縁または近傍で配置可能な第２の端部とを有し、少なくとも部分的に、左胸部下側の少なくとも一部に左バンドの配置を可能にする。右バンドは、使用時、右胸部支持領域の少なくとも一部に沿って延在する。右バンドは、右胸部外側縁または近傍で配置可能な第１の端部と、右胸部内側縁または近傍で配置可能な第２の端部とを有し、少なくとも部分的に、右胸部下側の少なくとも一部に右バンドの配置を可能にする。
2009530510.tif 000002
【特許請求の範囲】
【請求項１】
第１の弾性を有する材料を備える左右の胸部支持領域と、
該右の胸部支持領域に連結され、使用時に、該左の胸部支持領域の少なくとも一部に沿って延在する第１のバンドであって、左胸部の外側縁またはその近傍に配置可能な第１の端部と、右胸部の内側縁またはその近傍に配置可能な第２の端部とを有し、少なくとも部分的に、該左胸部の下側の少なくとも一部の上に該第１のバンドの配置を可能にする、第１のバンドと、
該左の胸部支持領域に連結され、使用時に、該右の胸部支持領域の少なくとも一部に沿って延在する第２のバンドであって、右胸部の外側縁またはその近傍に配置可能な第１の端部と、左胸部の内側縁またはその近傍に配置可能な第２の端部とを有し、少なくとも部分的に、該右胸部の下側の少なくとも一部の上に該第２のバンドの配置を可能にする、第２のバンドと、
ここで、該第１および第２のバンドは、該第１の弾性よりも大きい第２の弾性であり、
より内側の位置に該右胸部を配置するために、該第１のバンドに牽引力を加えて、該右胸部を横断する内方力を加える手段と、
より内側の位置に該左胸部を配置するために、該第２のバンドに牽引力を加えて、該左胸部を横断する内方力を加える手段と
を備える、ファンデーション。
【請求項２】
前記左右の支持領域は、カップを備え、
前記第１および第２のバンドは、それぞれ該左右カップの実質的に全長に沿って延在する、請求項１に記載のファンデーション。
【請求項３】
前記ファンデーションは、後方閉鎖式である、請求項１に記載のファンデーション。
【請求項４】
前記第１のバンドの前記第１の端部および前記第２の端部は、固定され、そして、
該第１のバンドは、長さ調節部材を含む、請求項１に記載のファンデーション。
【請求項５】
前記牽引力は、前記第１のバンドの長さを短縮することによって、該第１のバンドに加えられる、請求項４に記載のファンデーション。
【請求項６】
前記第２のバンドの前記第１の端部および前記第２の端部は、固定され、そして、
該第２のバンドは、長さ調節部材を含む、請求項１に記載のファンデーション。
【請求項７】
前記牽引力は、前記第２のバンドの長さを短縮することによって、該第２のバンドに加えられる、請求項６に記載のファンデーション。
【請求項８】
第１の胸部を支持する第１の支持領域であって、内側面を含む、第１の支持領域と、
第２の胸部を支持する第２の支持領域であって、内側面を含む、第２の支持領域と、
衣類を連結するために、該第１の支持領域の該内側面から側方に延在し、少なくとも部分的に、該第２の胸部の下に延在するように適合される第１の部材と、
衣類を連結するために、該第２の支持領域の該内側面から側方に延在し、少なくとも部分的に、該第１の胸部の下に延在するように適合される第２の部材と
を備える、胸部支持衣類。
【請求項９】
前記第１の部材および前記第２の部材は、前記衣類の内側表面に固定される、請求項８に記載の胸部支持衣類。
【請求項１０】
前記第１の部材および前記第２の部材は、前記衣類の外側表面に固定される、請求項８に記載の胸部支持衣類。
【請求項１１】
前記第１の部材および前記第２の部材は、前記衣類の繊維層間に固定される、請求項８に記載の胸部支持衣類。
【請求項１２】
前記衣類は、後方閉鎖式である、請求項８に記載の胸部支持衣類。
【請求項１３】
前記第１の支持領域および前記第２の支持領域は、第１の弾性であり、前記第１の部材および前記第２の部材は、第２の弾性であり、該第２の弾性は、該第１の弾性よりも大きい、請求項８に記載の胸部支持衣類。
【請求項１４】
前記第１の部材は、長さ調節可能であって、該第１の部材の長さを短縮することによって、前記第１の胸部に横断する内方圧力を加えて、該第１の胸部をより内側の位置に移動させる、請求項８に記載の胸部支持衣類。
【請求項１５】
前記第２の部材は、長さ調節可能であって、該第２の部材の長さを短縮することによって、前記第２の胸部に横断する内方圧力を加えて、該第２の胸部をより内側の位置に移動させる、請求項８に記載の胸部支持衣類。
【請求項１６】
前記第１の部材は、前記第２の胸部の外側縁またはその近傍において前記衣類に固定される、請求項８に記載の胸部支持衣類。
【請求項１７】
前記第２の部材は、前記第１の胸部の外側縁またはその近傍において前記衣類に固定される、請求項８に記載の胸部支持衣類。
【請求項１８】
第１の胸部を支持する第１の支持領域と、
第２の胸部を支持する第２の支持領域と、
該第１の胸部を横断する牽引力を加えて、該第１の胸部をより内側の位置に移動させる手段と、
該第２の胸部を横断する牽引力を加えて、該第２の胸部をより内側の位置に移動させる手段と、
該第１の胸部を該より内側の位置に固定する手段と、
該第２の胸部を該より内側の位置に固定する手段と
を備え、後方閉鎖式である、ファンデーション。
【請求項１９】
前記牽引力は、前記第１の胸部の外側縁から該第１の胸部の内側縁まで、該第１の胸部を横断して加えられる、請求項１８に記載のファンデーション。
【請求項２０】
前記牽引力は、前記第２の胸部の外側縁から該第２の胸部の内側縁まで、該第２の胸部を横断して加えられる、請求項１８に記載のファンデーション。
【発明の詳細な説明】
【技術分野】
【０００１】
（関連出願の引用）
本出願は、同時係属の米国特許第１１／０９９，８４４号（２００５年４月６日出願）の一部継続出願である。
【背景技術】
【０００２】
（発明の背景）
本発明は、ファンデーションに関する。特に、本発明は、調節可能ブラジャーに関する。女性は、一般的に、胸部を支持し、胸部の過剰および／または望ましくない移動を制御するために、ブラジャーを装着する。胸部の移動の制御に加え、多くのブラジャーはまた、より外見上魅力的な容姿を可能にするために、胸部を上方へ持ち上げるアンダーワイヤまたは他の手段を提供する。上方への持ち上げ量は、典型的には、調節可能ショルダーストラップを使用して、必要最小限にのみ調節可能である。
【０００３】
従来のブラジャーは、より内側の位置に胸部を移動または保持する機能を提供しない。より内側の位置に胸部を配置および支持することによって、胸部の谷間が増加させられるため望ましい。これは、女性が、ブラジャーの上に襟ぐりの深い上着または衣類を着用する場合に特に望ましい。
【発明の開示】
【発明が解決しようとする課題】
【０００４】
より内側の位置に胸部を配置および支持することによって谷間を増加させるブラジャーに対する必要が依然として存在する。特に、女性が、所望に応じて、例えば、ブラジャーの上に襟ぐりの深いまたは浅い衣類を着用しているか否かに応じて、胸部の内方移動量を選択的に調節および制御可能なブラジャーに対する必要が依然として存在する。
【課題を解決するための手段】
【０００５】
ファンデーションは、より内側の位置に胸部を配置および支持することによって谷間を増加させる。ファンデーションによって、女性は、所望に応じて、胸部の内方移動量を選択的に調節および制御することが可能となる。
【０００６】
本発明の一側面によると、ファンデーションは、第１の弾性を有する材料を含む、左右の胸部支持領域を含む。左バンドは、使用時に、左の胸部支持領域の少なくとも一部に沿って延在する。左バンドは、左胸部の外側縁またはその近傍で配置可能な第１の端部と、左胸部の内側縁またはその近傍で配置可能な第２の端部とを有し、少なくとも部分的に、左胸部の下側の少なくとも一部に左バンドの配置を可能にする。右バンドは、使用時に、右の胸部支持領域の少なくとも一部に沿って延在する。右バンドは、右胸部の外側縁またはその近傍で配置可能な第１の端部と、右胸部の内側縁またはその近傍で配置可能な第２の端部とを有し、少なくとも部分的に、右胸部の下側の少なくとも一部に右バンドの配置を可能にする。左右バンドは、第１の弾性よりも大きい第２の弾性である。より内側の位置に左胸部を配置するために、左バンドの第２の端部に牽引力を加えるための手段が提供される。また、より内側の位置に右胸部を配置するために、右バンドの第２の端部に牽引力を加えるための手段が提供される。
【０００７】
一実施形態では、左右の支持領域は、カップと、それぞれ左右カップの実質的に全長に沿って延在する左右バンドとを含む。
【０００８】
一実施形態では、ファンデーションは、前方閉鎖式である。別の実施形態では、ファンデーションは、後方閉鎖式である。
【発明を実施するための最良の形態】
【０００９】
図１〜８は、より内側の位置に胸部を配置するために、選択的調節を可能にするファンデーション、すなわち、ブラジャー１０を示す。ブラジャー１０に従ってその特性が記載されるが、本発明の特性は、水着の上着、ホールターネックの上着、パジャマまたはナイトガウンの上着、および他の種類の女性用肌着類を含むが、それらに限定されない、種々の他の胸部支持およびファンデーションにおける使用にも好適であることを理解されたい。
【００１０】
また、従来のスタイルのブラジャー１０に従って特性が図示されるが、例えば、ストラップレス、ホールターネック、スポーツ用ブラジャー等、特定のスタイルのブラジャー１０に変更されてもよいことを理解されたい。
【００１１】
図１に最も良く示されるように、ブラジャー１０は、標準カップサイズ（例えば、Ａ、Ｂ、Ｃ等）において利用可能な、それぞれ一対の従来の右および左カップ１２Ｒおよび１２Ｌを有する前方閉鎖式ブラジャーである。ショルダーストラップ１４Ｒおよび１４Ｌは、従来の調節部材、例えば、摺動リング１６Ｒおよび１６Ｌによってそれぞれ調節可能である。第１の調節可能ストラップ１８Ｒは、第１のタブ２０Ｒによって、第１、すなわち右カップ１２Ｒに付着される。第２の調節可能ストラップ１８Ｌは、同様に、第２のタブ２０Ｌによって、第２、すなわち左カップ１２Ｌに付着される。ストラップ１８Ｒおよび１８Ｌは、任意の好適な付着手段によって、タブ２０Ｒおよび２０Ｌに付着されてもよい。図示される実施形態では、ストラップ１８Ｒおよび１８Ｌは、それぞれリング２２Ｒおよび２２Ｌを使用して付着される。好ましい実施形態では、ストラップ１８Ｒおよび１８Ｌは、弾性材料から形成され、好ましくは、カップ１２Ｒおよび１２Ｌを形成する材料よりも大きな弾性を有する。
【００１２】
ストラップ１８Ｒは、左カップ１２Ｌを越えた領域内のブラジャー１０の反対側の内側表面２８の上の補助固定部材、例えば、小穴２６Ｌと連結する固定部材、例えば、フック２４Ｒを含む。固定部材２４Ｒと２６Ｌとの連結によって、図２に最も良く示されるように、使用時に、左カップ１２Ｌに沿って、ストラップ１８Ｒを配置および延在させる。同様に、ストラップ１８Ｌは、右カップ１２Ｒを越えた領域内のブラジャー１０の反対側の外側表面３０の上の補助固定部材、例えば、小穴２６Ｒと連結する固定部材、例えば、フック２４Ｌを含む（図５参照）。固定部材２４Ｌと２６Ｒとの連結によって、同様に図２に最も良く示されるように、使用時に、右カップ１２Ｒに沿って、ストラップ１８Ｌを配置および延在させる。
【００１３】
カップ１２Ｒおよび１２Ｌに対する小穴２６Ｒおよび２６Ｌの位置は、所望に応じて変更してもよいことが、当業者には理解されるであろう。例えば、小穴２６Ｒおよび２６Ｌは、それぞれカップ１２Ｒおよび１２Ｌの上、またはそれに沿って、あるいはそれぞれカップ１２Ｒおよび１２Ｌを越えた任意の地点に配置されてもよい。加えて、ブラジャー１０に沿った小穴２６Ｒおよび２６Ｌの高さも、所望に応じて変更してもよい。小穴２６Ｒおよび２６Ｌの鉛直方向の配置高を上昇させることによって、胸部ＲＢおよびＬＢのさらなる隆起を提供する機能を果たす。
【００１４】
また、一例として、スナップ、ボタン、ＶｅｌｃｒｏＴＭ等を含むが、それらに限定されない、種々の他の種類の固定部材を使用してもよいことは、当業者には明白であろう。ストラップ１８Ｒおよび１８Ｌは、好ましくは、従来の調節部材、例えば、摺動リング３２Ｒおよび３２Ｌを含む。ストラップ１８Ｒおよび１８Ｌの選択的調節（すなわち、緊締および弛緩）を可能にする当技術分野において周知なように、各ストラップ１８Ｒおよび１８Ｌは、一端（固定部材２４Ｒまたは２４Ｌの反対端）でそのそれぞれのリング３２Ｒまたは３２Ｌに付着され、リング３２Ｒまたは３２Ｌの摺動を可能にする。
【００１５】
使用時に、着用者は、図３に示されるように、初めに、固定要素２４Ｒと２６Ｌとを連結することによって、右ストラップ１８Ｒを定位置に固定する。ストラップ１８Ｒは、左胸部ＬＢの下側３８Ｌに沿って、左胸部ＬＢの外側縁３４Ｌまたはその近傍から、左胸部ＬＢの内側縁３６Ｌまたはその近傍まで延在する（図７および８参照）。図４が示すように、着用者は、次いで、所望に応じて、調節部材３２Ｒを調節する。ストラップ１８Ｒが短くなるにつれ、カップ１２Ｒにかかる圧力が増し、右胸部（ＲＢ）を内側に移動させる。
【００１６】
着用者は、図５に示されるように、次いで、固定要素２４Ｌと２６Ｒとを連結することによって、左ストラップ１８Ｌを定位置に固定する。ストラップ１８Ｌは、右胸部ＲＢの下側３８Ｒに沿って、右胸部ＲＢの外側縁３４Ｒまたはその近傍から、右胸部ＲＢの内側縁３６Ｒまたはその近傍まで延在する（図７および８参照）。図６が示すように、着用者は、次いで、所望に応じて、調節部材３２Ｌを調節する。ストラップ１８Ｌが短くなるにつれ、カップ１２Ｌにかかる圧力が増し、左胸部（ＬＢ）を内側に移動させる。
【００１７】
着用者は、それによって、所望に応じて、ストラップ１８Ｒおよび１８Ｌの両方を選択的に調節可能である。このように、ストラップ１８Ｒおよび１８Ｌの調節可能性によって、着用者は、図７に示される第１の位置と、胸部ＲＢおよびＬＢが図７と比較してより内側位置に支持され、それによって、谷間（Ｃ）が増加させられる、図８に示される第２の位置との間で選択的に調節可能となる。また、ストラップ１８Ｒおよび１８Ｌの独立した調節によって、着用者は、快適性かつ胸郭サイズに従って調節可能となる。
【００１８】
ブラジャー１０によって、着用者は、特定の必要性または特定の衣服に従って、ブラジャー１０を調節する多用途性が可能となる。例えば、ブラジャー１０は、襟ぐりの浅い上着の場合、図７に示されるように、装着可能である。着用者は、次いで、図８に示されるように、襟ぐりの深い上着に着替える場合、例えば、昼間、すなわちカジュアルな衣類から、夜、すなわちドレスに着替える場合、別のブラジャーに変更する必要なく、ブラジャー１０を調節可能である。
【００１９】
図９は、図１〜８に示されるブラジャー１０の代替の実施形態を示す。本実施形態では、小穴２６Ｒは、右カップ１２Ｒを越えた領域内のブラジャー１０の（外側表面３０ではなく）内側表面２８上に位置する。小穴２６Ｌは、左カップ１２Ｌを越えた領域内のブラジャー１０の（内側表面２８ではなく）外側表面３０上に位置する。使用時、着用者は、初めに、固定要素２４Ｌと２６Ｒとを連結することによって、左ストラップ１８Ｌを定位置に固定する。次いで、調節部材３２Ｌは、左胸部（ＬＢ）を配置するために前述されたように、所望に応じて調節される。次いで、着用者は、固定要素２４Ｒと２６Ｌとを連結することによって、右ストラップ１８Ｒを定位置に固定する。次いで、調節部材３２Ｒもまた、右胸部（ＲＢ）を配置するために前述されたように、所望に応じて調節される。
【００２０】
図１０〜１３は、より内側の位置に胸部を配置するために、選択的調節を可能にするファンデーション、すなわちブラジャー１００の別の代替実施形態を示す。本発明の特性もまた、種々の他の胸部支持およびファンデーションの使用に好適であることを理解されたい。
【００２１】
また、従来のスタイルのブラジャー１００に従って特性が図示されるが、例えば、ストラップレス、ホールターネック、スポーツ用ブラジャー等、特定のスタイルのブラジャー１００に変更されてもよいことを理解されたい。
【００２２】
ブラジャー１００は、標準カップサイズ（例えば、Ａ、Ｂ、Ｃ等）において利用可能な、一対の従来のカップ１１２を有する後方閉鎖式ブラジャーである。ショルダーストラップ１１４は、従来の調節部材、例えば、摺動リング１１６によって調節可能である。
【００２３】
弾性部材、すなわちバンド１３４は、各カップ１１２に沿って延在する。弾性バンド１３４は、カップ１１２を形成する材料よりも大きな弾性を有する。図示される実施形態では、バンド１３４は、カップ１１２の内側表面１４２上のカップ１１２に沿って配置される。あるいは、バンド１３４は、カップ１１２の外側表面１４４上のカップ１１２に沿って配置されてもよい（図示せず）。さらに別の実施形態では、バンド１３４は、カップ１１２を形成する繊維層との間に配置されてもよい（図示せず）。各バンド１３４は、好ましくは、そのそれぞれのカップ１１２の少なくとも一部に沿って、より好ましくは、カップ１１２の全長に沿って延在する。
【００２４】
弾性バンド１３４は、例えば、リング１３８または他の好適な連結手段によって、調節可能部材、すなわちストラップ１３６の反対端に付着される。ストラップ１３６の第１の端部は、リング１４０に付着され、ストラップ１３６の反対端は、連結要素１３６に付着され、ストラップ１３６の選択的調節（すなわち、緊締および弛緩）を可能にする当技術分野において周知なように、リング１４０の摺動を可能にする。
【００２５】
使用時、各バンド１３４は、胸部ＬＢまたはＲＢの下側３８Ｌまたは３８Ｒに沿って、そのそれぞれの胸部ＬＢまたはＲＢの外側縁３４Ｌまたは３４Ｒまたはその近傍から、胸部ＬＢまたはＲＢの内側縁３６Ｌまたは３４Ｒまたはその近傍まで延在するように配置される（図１３参照）。
【００２６】
第１の方向にリング１４０を牽引してストラップ１３６を緊締することによって、弾性バンド１３４に圧力を加えて、胸部より内側の位置に配置し、それによって、谷間Ｃを増加させる。反対に、第２、すなわち反対方向にリング１４０を牽引してストラップ１３６を弛緩することによって、弾性バンド１３４から圧力を解放して、それによって、より弛緩した外側の位置に胸部を移動させる。
【００２７】
図１４および１５は、より内側の位置に胸部を配置するために、選択的調節を可能にするファンデーションのさらなる代替実施形態を示す。ブラジャー２１０は、標準カップサイズ（例えば、Ａ、Ｂ、Ｃ等）において利用可能な、それぞれ一対の従来の右および左カップ２１２Ｒおよび２１２Ｌを有する後方閉鎖式ブラジャーである。ショルダーストラップ２１４Ｒおよび２１４Ｌは、従来の調節部材、例えば、摺動リング２１６Ｒおよび２１６Ｌによって調節可能である。第１の調節可能ストラップ２１８Ｒは、第１のタブ２２０Ｒによって、第１、すなわち右カップ２１２Ｒに付着される。第２の調節可能ストラップ２１８Ｌは、第２のタブ２２０Ｌによって、第２、すなわち左カップ２１２Ｌに付着される。ストラップ２１８Ｒおよび２１８Ｌは、任意の好適な付着手段によって、タブ２２０Ｒおよび２２０Ｌに付着されてもよい。図示される実施形態では、ストラップ２１８Ｒおよび２１８Ｌは、それぞれリング２２２Ｒおよび２２２Ｌを使用して付着される。しかしながら、任意の従来の付着手段も利用可能であることが企図される。好ましい実施形態では、ストラップ２１８Ｒおよび２１８Ｌは、弾性材料から形成され、望ましくは、カップ２１２Ｒおよび２１２Ｌを形成する材料よりも大きい弾性を有する。
【００２８】
ストラップ２１８Ｒは、左カップ２１２Ｌの下に延在し、左カップ２１２Ｌの外側下方部に付着されたループ２５０Ｌを貫通する。次いで、ストラップ２１８Ｒの端部は、左カップ２１２Ｌを越えた領域２５２Ｌ内のブラジャーの側部に付着される。同様に、ストラップ２１８Ｌは、右カップ２１２Ｒの下に延在し、右カップ２１８Ｒの外側下方部に付着されたループ２５０Ｒを貫通する。次いで、ストラップ２１８Ｌの端部は、右カップ２１２Ｒを越えた領域２５２Ｒ内のブラジャーの側部に付着される。
【００２９】
図示される実施形態では、ストラップ２１８Ｒは、ブラジャーの側部２５２Ｌを形成する繊維層間に配置される。図示される実施形態は、ブラジャーの側部が、ブラジャー側部２５２Ｌの内側表面に縫合された弾性部を含む、従来のブラジャーのスタイルである。ストラップ２１８Ｒは、弾性部材と側部２５２Ｌの繊維との間に配置される。あるいは、ストラップ２１８Ｒは、繊維の外側表面上に配置されることが可能である。さらに別の実施形態では、ストラップ２１８Ｒは、ブラジャー側部２５２Ｌの内側表面に沿って配置されることが可能である。ストラップ２１８Ｒは、その定位置に固定される。好ましい実施形態では、ストラップ２１８Ｒは、定位置に縫合されるが、しかしながら、一例として、スナップ、ボタン、ＶｅｌｃｒｏＴＭ等を含むが、それらに限定されない、ストラップ２１８Ｒを定位置に固定する任意の従来の方法が使用されてもよい。
【００３０】
他方のストラップ２１８Ｌは、ストラップ２１８Ｒに関して上述されたように、同一方法で配置される。ストラップ２１８Ｌは、好ましくは、ブラジャーの側部２５２Ｒを形成する繊維層間に配置される。図示される実施形態は、ブラジャーの側部が、ブラジャー側部２５２Ｒの内側表面に縫合された弾性部を含む、従来のブラジャーのスタイルである。ストラップ２１８Ｌは、弾性部材と、側部２５２Ｒの繊維との間に配置される。あるいは、ストラップ２１８Ｌは、繊維の外側表面上に配置されることが可能である。さらに別の実施形態では、ストラップ２１８Ｌは、ブラジャー側部２５２Ｒの内側表面に沿って配置されることが可能である。ストラップ２１８Ｌは、その定位置に固定される。同様に、好ましい実施形態では、ストラップ２１８Ｌは、定位置に縫合されるが、しかしながら、一例として、スナップ、ボタン、ＶｅｌｃｒｏＴＭ等を含むが、それらに限定されない、ストラップ２１８Ｌを定位置に固定する任意の従来の方法が使用されてもよい。
【００３１】
カップ２１２Ｒおよび２１２Ｌに対するストラップ２１８Ｒおよび２１８Ｌの端部の位置は、所望に応じて変更してもよいことが、当業者には理解されるだろう。例えば、ストラップ２１８Ｒおよび２１８Ｌは、それぞれカップ２１２Ｒおよび２１２Ｌの上、またはそれに沿った任意の地点、あるいはそれぞれカップ２１２Ｒおよび２１２Ｌを越えた任意の地点に固定可能である。
【００３２】
ストラップ２１８Ｒおよび２１８Ｌは、好ましくは、従来の調節部材、例えば、摺動リング２３２Ｒおよび２３２Ｌを含む。ストラップ２１８Ｒおよび２１８Ｌの選択的調節（すなわち、緊締および弛緩）を可能にする当技術分野において周知なように、各ストラップ２１８Ｒおよび２１８Ｌは、一端でそのそれぞれのリング２３２Ｒおよび２３２Ｌに付着され、リング２３２Ｒまたは２３２Ｌの摺動を可能にする。
【００３３】
使用時に、着用者は、初めに、ブラジャーの後方留具を固定する。次いで、着用者は、所望に応じて、ストラップ２１８Ｒおよび２１８Ｌの両方を選択的に調節可能である。いずれのストラップを最初に調節してもよい。説明の目的のため、ストラップ２１８Ｒが最初に論じられる。ストラップ２１８Ｒは、左カップ２１２Ｌの下側に沿って、右カップ２１２Ｒの内側縁またはその近傍から、左カップ２１２Ｌの外側縁またはその近傍まで延在する。次いで、着用者は、所望に応じて、調節部材２３２Ｒを調節する。ストラップ２１８Ｒが短くなるにつれ、右カップ２１２Ｒにかかる圧力が増し、右胸部を内側に移動させる。
【００３４】
同様に、左ストラップ２１８Ｌも調節可能である。ストラップ２１８Ｌは、右カップ２１２Ｒの下側に沿って、左カップ２１２Ｌの内側縁またはその近傍から、右カップ２１２Ｒの外側縁またはその近傍まで延在する。次いで、着用者は、所望に応じて、調節部材２３２Ｌを調節する。ストラップ２１８Ｌが短くなるにつれ、カップ２１２Ｌにかかる圧力が増し、左胸部を内側に移動させる。
【００３５】
このように、ストラップ２１８Ｒおよび２１８Ｌの調節可能性によって、着用者は、第１の位置と、胸部がより内側の位置に支持され、それによって、谷間を増加させる第２の位置との間を選択可能となる。第１および第２の位置は、前述の実施形態に関して図７および８に示されるが、しかしながら、胸部位置は、本実施形態に従うブラジャーと同一となるであろう。
【００３６】
ブラジャー２１０によって、着用者は、別のブラジャーに着替える必要なく、特定の必要性または特定の衣服に従って、ブラジャー２１０を調節する多用途性が可能となる。
【図面の簡単な説明】
【００３７】
【図１】図１は、開放、すなわち非掛止構成における、胸部の調節可能な内方移動を可能にするブラジャーの斜視図である。
【図２】図２は、閉鎖、すなわち掛止構成における、図１に示されるブラジャーの斜視図。
【図３】図３は、第１のストラップのブラジャーの内部表面への連結を示す。
【図４】図４は、より内側位置に第１の胸部を配置するための、第１のストラップの調節を示す。
【図５】図５は、第２のストラップのブラジャーの外側表面への連結を示す。
【図６】図６は、より内側位置に第２の胸部を配置するための、第２のストラップの調節を示す。
【図７】図７は、第１の位置における、第１および第２のストラップによる胸部の配置を示す。
【図８】図８は、谷間を増加させるために、第１の位置と比べてさらに内側に胸部が配置される第２の位置への第１および第２のストラップの調節を示す。
【図９】図９は、図１における実施形態の代替実施形態の斜視図である。
【図１０】図１０は、開放、すなわち非掛止構成における、胸部を調節可能な内方移動を可能にするブラジャーの別の代替実施形態の斜視図である。
【図１１】図１１は、閉鎖、すなわち掛止構成における、図１０に示されるブラジャーの斜視図である。
【図１２】図１２は、図１０および１１に示される調節可能カップストラップの拡大部分図である。
【図１３】図１３は、より内側の位置に胸部を配置するための、図１２に示されるストラップの調節を示す。
【図１４】図１４は、開放、すなわち非掛止位置における、胸部の内方移動を可能にするブラジャーの別の代替実施形態の斜視図である。
【図１５】図１５は、閉鎖、すなわち掛止構成における、図１４に示されるブラジャーの斜視図である。
【図１】
2009530510.tif 000003
【図２】
2009530510.tif 000004
【図３】
2009530510.tif 000005
【図４】
2009530510.tif 000006
【図５】
2009530510.tif 000007
【図６】
2009530510.tif 000008
【図７】
2009530510.tif 000009
【図８】
2009530510.tif 000010
【図９】
2009530510.tif 000011
【図１０】
2009530510.tif 000012
【図１１】
2009530510.tif 000013
【図１２】
2009530510.tif 000014
【図１３】
2009530510.tif 000015
【図１４】
2009530510.tif 000016
【図１５】
2009530510.tif 000017
【国際調査報告】
2009530510.tif 000018